(57)【要約】  書籍用照明装置（ブックライト）は、細長の空間を有するハウジング（１０）と、近端部及び遠端部を有し、細長の空間に伸縮自在に収納され、かつ、完全収納位置と最大延長位置との間で摺動自在に構成される収納自在アーム（２１）と、収納自在アームの遠端部に取り付けられる光源（２３）と、ハウジングに配置され、ハウジングを書籍に取り付けるように構成されるクリップ（１５）と、を含んで構成される。【選択図】図２
2009537949.tif 000002
【特許請求の範囲】
【請求項１】
細長の空間を有するハウジングと、
近端部及び遠端部を有し、前記細長の空間に伸縮自在に収納され、かつ、完全収納位置と最大延長位置との間で摺動自在に構成される収納自在アームと、
前記収納自在アームの前記遠端部に取り付けられる光源と、
前記ハウジングに配置され、前記ハウジングを書籍に取り付けるように構成されるクリップと、
を含んで構成され、
前記クリップは、開放位置と、前記ハウジングに収納される収納位置と、の間で移動自在である書籍用照明装置。
【請求項２】
前記収納自在アームは、可撓性を有する雁首型のチューブを含んで構成される請求項１記載の書籍用照明装置。
【請求項３】
前記クリップは、前記ハウジングを前記書籍の背に取り付けるように構成される請求項１記載の書籍用照明装置。
【請求項４】
前記クリップは、前記書籍への取り付けに対応する完全開放位置と、前記ハウジングに完全に収納される完全収納位置と、の間で移動自在である請求項１記載の書籍用照明装置。
【請求項５】
前記クリップは、該クリップを前記完全開放位置と前記完全収納位置との間で移動させるスライドボタンに動作可能に連結される請求項４記載の書籍用照明装置。
【請求項６】
前記ハウジングは、バッテリーを収容するバッテリー容器と、前記収納自在アームが最大延長位置と給電境界延長位置との間の任意の位置にあるときに前記バッテリーから前記光源へエネルギーを伝達する１対の接触レールと、を含む請求項１記載の書籍用照明装置。
【請求項７】
前記ハウジングに配置され、前記光源の点灯及び消灯を行うスイッチを更に含む請求項１記載の書籍用照明装置。
【請求項８】
前記ハウジングは細長形状であり、前記細長の空間は前記ハウジングの一側に配置され、バッテリー容器は前記ハウジングの前記一側と間隔を空けた側に配置され、前記クリップは、前記細長の空間と前記バッテリー容器との間に配置される請求項１記載の書籍用照明装置。
【請求項９】
細長形状のハウジングであって、その一側に配置される細長の空間と、前記一側と間隔を空けた側に配置されるバッテリー収容用のバッテリー容器と、を有する前記ハウジングと、
近端部及び遠端部を有し、前記細長の空間に収納され、かつ、完全収納位置と最大延長位置との間で摺動自在な可撓性を有する雁首型の収納自在アームと、
前記収納自在アームの前記遠端部に取り付けられる光源と、
前記収納自在アームが最大延長位置にあるとき又は最大延長位置と給電境界延長位置との間の任意の位置にあるときに前記バッテリーから前記光源へエネルギーを伝達する１対の接触レールと、
前記ハウジングに配置され、前記バッテリーと前記光源との接続と非接続とを切り替えるスイッチと、
前記ハウジングにおいて前記細長の空間と前記バッテリー容器との間に配置され、書籍の背への取り付けに対応する完全開放位置と、前記ハウジングに収納される完全収納位置と、の間で移動自在なクリップと、
前記ハウジングに配置され、前記クリップに動作可能に連結されて、前記クリップを前記完全開放位置と前記完全収納位置との間で移動させるスライドボタンと、
を含んで構成される書籍用照明装置。
【請求項１０】
細長の空間を有するハウジングと、
近端部及び遠端部を有し、前記細長の空間に伸縮自在に収納され、かつ、完全収納位置と最大延長位置との間で摺動自在に構成される収納自在アームと、
前記収納自在アームの前記遠端部に取り付けられる光源と、
前記ハウジングに配置され、前記ハウジングを対象物に取り付けるように構成されるクリップと、
を含んで構成され、
前記クリップは、開放位置と、前記ハウジングに収納される収納位置と、の間で移動自在である照明装置。
【発明の詳細な説明】
【技術分野】
【０００１】
本発明は、書籍用照明装置に関し、より詳しくは、収納自在な光源及びクリップを単一のハウジング内に有する書籍用照明装置に関する。
【背景技術】
【０００２】
書籍用照明装置（ブックライト）は、周辺光が不十分なときに書籍及び他の読み物に光を当てることを目的として、開発されている。入手可能な書籍用照明装置の多くは、露出した光源又は光源ヘッドを有し、光源ヘッドと、電源又はハウジングと、を連結する剛性シャフト又はヒンジ連結のシャフトを備える。このような構成は、光源又は光源ヘッドを破損の危険にさらし、また、保管又は運搬において装置を扱いにくいものとしている。
【０００３】
例えば、Ｚｅｌｌｅｒによる米国特許第５，６９５，２７１号には、取付ブラケットにヒンジ連結されるアームで望遠鏡のように伸縮する光源が開示されている。ブラケットは、電線によってハウジングに接続されて、ハウジングのバッテリー源から光源へ電気接続されている。光源が完全に縮められ、ブラケットに隣接するように折り畳まれているとしても、光源ヘッドは露出している。また、電線も露出しており、応力及び摩擦を受けてしまう。
【０００４】
米国特許第Ｄ５０７，８４０号には、ハウジングと、上部に光源ヘッドを備えるテレスコーピングアーム（望遠鏡のように伸縮するアーム）と、を有する伸縮自在でクリップ型の読書用照明装置が開示されている。光源ヘッドがハウジングの外部に配置されているので、アームを完全に縮めたときであっても、光源ヘッドは露出している。
【０００５】
米国特許第Ｄ４２３，１３０号には、ハウジングと、２つの光源シャフトを備える光源脚と、その先端部に備えられた光源と、を有する書籍用照明装置が開示されている。完全に折り畳まれた位置において、シャフトは全体的にハウジングの外部にあり、クリップは常に露出している。
【０００６】
従来技術には、単一のハウジングに収納されるように構成され、完全に収納可能な光源及びクリップを有する書籍用照明装置を提供することは、開示されていない。
【先行技術文献】
【特許文献】
【０００７】
【特許文献１】米国特許第５，６９５，２７１号明細書
【特許文献２】米国特許第Ｄ５０７，８４０号明細書
【特許文献３】米国特許第Ｄ４２３，１３０号明細書
【発明の概要】
【発明が解決しようとする課題】
【０００８】
本発明の目的は、上記装置に関連する課題を解決することである。
【０００９】
特に、本発明の目的は、光源及びそれに接続された電線を不測の破損から良好に保護する非常にコンパクトな書籍用照明装置を提供することである。
【００１０】
本発明の他の目的は、不使用時に単一のハウジング内に収納される光源及びクリップを用いることによってコンパクトな伸縮型の書籍用照明装置を提供することである。
【００１１】
本発明の他の目的は、使用時に格別な実用性及び汎用性を有する書籍用照明装置を提供することである。
【課題を解決するための手段】
【００１２】
本発明によれば、細長の空間を有するハウジングと、近端部及び遠端部を有し、細長の空間に伸縮自在（telescopically）に収納され、かつ、完全収納位置と最大延長位置との間で摺動自在に構成される収納自在アームと、収納自在アームの遠端部に取り付けられる光源と、ハウジングに配置され、ハウジングを書籍に取り付けるように構成されるクリップと、を含んで構成される書籍用照明装置が提供される。
【００１３】
本発明は、細長形状のハウジングであって、その一側に配置される細長の空間と、該一側と間隔を空けた側に配置されるバッテリー収容用のバッテリー容器（battery receptacle）と、を有するハウジングと、近端部及び遠端部を有し、細長の空間で収納され、かつ、完全収納位置と最大延長位置との間で摺動自在な可撓性を有する雁首型の収納自在アームと、収納自在アームの遠端部に取り付けられる光源と、収納自在アームが最大延長位置にあるとき又は最大延長位置と給電境界延長位置との間の任意の位置にあるときにバッテリーから光源へエネルギーを伝達する１対の接触レールと、ハウジングに配置され、バッテリーと光源との接続と非接続とを切り替えるスイッチと、ハウジングにおいて細長の空間とバッテリー容器との間に配置され、書籍の背への取り付けに対応する完全開放位置と、ハウジングに収納される完全収納位置と、の間で移動自在なクリップと、ハウジングに配置され、クリップに動作可能に連結されて、クリップを完全開放位置と完全収納位置との間で移動させるスライドボタンと、を含んで構成される書籍用照明装置を提供する。
【００１４】
本発明は、細長の空間を有するハウジングと、近端部及び遠端部を有し、細長の空間に伸縮自在に収納され、かつ、完全収納位置と最大延長位置との間で摺動自在に構成される収納自在アームと、収納自在アームの遠端部に取り付けられる光源と、ハウジングに配置され、ハウジングを対象物に取り付けるように構成されるクリップと、を含んで構成される照明装置を提供する。
【００１５】
本発明の好ましい実施形態に関する以下の詳細な説明を添付図面と共に考慮することにより、本発明の目的、特徴、及び効果の理解を更に深めることができる。尚、同一の参照符号は、同一又は類似の要素又は部分を示す。
【図面の簡単な説明】
【００１６】
【図１】本発明の一実施形態に従う折り畳み型の書籍用照明装置（ブックライト）の分解図である。
【図２】最大限に延長した収納自在アーム及び最大限に突出したクリップを用いて示される書籍用照明装置（ブックライト）の斜視図である。
【図３】図２と同様の斜視図であるが、完全に収納された収納自在アーム及びクリップを示す図である。
【図４】図３で示される側の反対側の斜視図であり、クリップの突出及び収納に用いるスライドボタンを示す図である。
【発明を実施するための形態】
【００１７】
本発明によれば、細長の空間を有するハウジングと、近端部及び遠端部を有し、細長の空間に伸縮自在に収納され、かつ、完全収納位置と最大延長位置との間で摺動自在に構成される収納自在アームと、収納自在アームの遠端部に取り付けられる光源と、ハウジングに配置され、ハウジングを書籍に取り付けるように構成されるクリップと、を含んで構成される書籍用照明装置が提供される。
【００１８】
収納自在アームは、可撓性を有する雁首型のチューブを含んで構成されてもよい。クリップは、ハウジングを書籍の背に取り付けるように構成されてもよい。クリップは、書籍への取り付けに対応する完全開放位置と、ハウジングに完全に収納される完全収納位置と、の間で移動自在としてもよい。クリップは、クリップを上記２つの位置の間で移動させるスライドボタンに動作可能に連結されてもよい。ハウジングは、バッテリーを収容するバッテリー容器と、収納自在アームが最大延長位置と給電境界延長位置との間の任意の位置にあるときにバッテリーから光源へエネルギーを伝達する１対の接触レールと、を含んでもよい。書籍用照明装置は、ハウジングに配置され、光源の点灯及び消灯を行うスイッチを更に含んでもよい。ハウジングは細長形状であってもよく、細長の空間はハウジングの一側に配置されてもよく、バッテリー容器はハウジングの該一側と間隔を空けた側に配置されてもよく、クリップは、細長の空間とバッテリー容器との間に配置されてもよい。
【００１９】
本発明は、細長形状のハウジングであって、その一側に配置される細長の空間と、該一側と間隔を空けた側に配置されるバッテリー収容用のバッテリー容器と、を有するハウジングと、近端部及び遠端部を有し、細長の空間に収納され、かつ、完全収納位置と最大延長位置との間で摺動自在な可撓性を有する雁首型の収納自在アームと、収納自在アームの遠端部に取り付けられる光源と、収納自在アームが最大延長位置にあるとき又は最大延長位置と給電境界延長位置との間の任意の位置にあるときにバッテリーから光源へエネルギーを伝達する１対の接触レールと、ハウジングに配置され、バッテリーと光源との接続と非接続とを切り替えるスイッチと、ハウジングにおいて細長の空間とバッテリー容器との間に配置され、書籍の背への取り付けに対応する完全開放位置と、ハウジングに収納される完全収納位置と、の間で移動自在なクリップと、ハウジングに配置され、クリップに動作可能に連結されて、クリップを完全開放位置と完全収納位置との間で移動させるスライドボタンと、を含んで構成される書籍用照明装置を提供する。
【００２０】
本発明は、細長の空間を有するハウジングと、近端部及び遠端部を有し、細長の空間に伸縮自在に収納され、かつ、完全収納位置と最大延長位置との間で摺動自在に構成される収納自在アームと、収納自在アームの遠端部に取り付けられる光源と、ハウジングに配置され、ハウジングを対象物に取り付けるように構成されるクリップと、を含んで構成される照明装置を提供する。
【００２１】
尚、以下に記載され、また、図面で示される書籍用照明装置（ブックライト）は、本発明の一実施形態に過ぎず、本発明は、他の多くの異なる構成を用いて具体化され得るものである。
【００２２】
図１に示すブックライトは、フロントハウジング部１１とリアハウジング部１２とにより形成されるハウジング１０を含んで構成される。バッテリーカバー１３は、着脱可能にハウジングの底部に取り付けられる。これらは、プラスチック製であってもよい。装飾用のインレー部１４は、例えばステンレス鋼製であってもよく、フロント及びリアハウジング部を包囲するように構成される。インレー部１４は、前側用及び後側用など、２以上の部分から形成されてもよく、また、接着剤によりフロント及びリアハウジング部に取り付けられてもよい。
【００２３】
また、ブックライトは、ステンレス鋼製のクリップ１５を有する。クリップ１５の下部は、フロントハウジング部１１の溝から突出するように構成される。スライドボタン１６は、リアハウジング部１２上に露出するように設けられ、クリップ１５を作動するためにクリップ１５に取り付けられる。スライドボタン１６を上方へ摺動させることにより、クリップ１５はハウジングから突出し、スライドボタン１６を下方へ摺動させることにより、クリップ１５はハウジング内に収納される。これは、クリップ１５のピンを収容するスライドボタン１６後側の溝と、スライドボタン１６が上方へ移動する際にはクリップ１５を押し出し、一方で、スライドボタン１６が下方に移動する際にはクリップ１５をハウジング内に収納するためにこのクリップ１５を引き込むリアハウジング部１２内壁の傾斜面と、により、実現される。スライドボタン１６及びクリップ１５を最大限に移動させる場合、スライドボタン１６は、垂直方向に約１／２インチ（約１３ｍｍ）移動し、クリップ１５は水平方向に約１／２インチ（約１３ｍｍ）移動する。
【００２４】
バッテリーカバー１３は、関連する金属製のバッテリーカバー端子１７を有し、この端子の一部は、垂直方向に並べられた３本の単４電池（バッテリー）のスタックの端子と当接するように構成される。また、電池スタックは、ハウジングの内側を通って垂直方向に延びる正極接触レール１８の下部に当接するように構成される。１対のグースネック（雁首型）端子１９が、グースネックベース２０に配設される。グースネックベース２０は、上部がＬＥＤハウジング２２及びＬＥＤ２３であるグースネック２１を収容する。ＬＥＤ２３は、２以上の各別の照明要素を含んで構成することができる。負極接触レール２４は、正極接触レール１８と同様に、ハウジングの内側を通って垂直方向に延びる。グースネック２１が上下に摺動する際に、グースネックベース２０は、グースネック端子１９を介して、負極接触レール２４及び正極接触レール１８に当接しつつ摺動する。正極接触レール１８は、ＬＥＤハウジング２２の少なくとも一部がハウジングの外部へ延長されるときはいつでも、電池スタックの正極端子に接続される。負極接触レール２４の上部は、抵抗２５、ライトスイッチ２７、及びスイッチ−バッテリー端子２８を介して、電池スタックの負極端子に接続される。ライトボタン２６は、スイッチ２５の上に配設される。スイッチ２５を繰り返し押圧することにより、スイッチ２５は交互に開閉する。
【００２５】
バッテリーカバー１３は、バッテリーカバーロック２９により形成されるロック機構を有する。バッテリーカバーロック２９は、バッテリーカバーが所定の位置に摺動されると、ハウジングの適当な位置で該カバーを保持し、反対の位置に摺動されると、カバーを開放してバッテリー領域へのアクセスを可能にする。
【００２６】
グースネックアセンブリは、完全収納位置において、底部でグースネック２１をロックするように機能するバネ開放機構３０を有する。グースネック２１の上部を押圧することにより、掛け金（ラッチ）が開放され、これにより、グースネックを最大延長位置又は任意の中間位置へ引き出すことが可能になる。グースネックの上部のＬＥＤ２３は、グースネック内の電線又は他の手段を介して、接触レールに接続される。
【００２７】
ハウジングが完全に組み立てられると、上記２つのハウジング部は、ネジ３１により適切な位置に保持される。
【００２８】
図２は、完全に組み立てられたブックライトの斜視図であり、最大延長位置でのクリップを示している。また、グースネックが、ハウジング内の近端部及び最大限に延長された遠端部と共に、示されている。図３は、完全収納位置でのクリップ及びグースネックを示している。図４は、クリップの収納に対応する上限位置を示すスライドボタンと共に、図３で示される側の反対側を示している。
【００２９】
使用時に、使用者は、グースネックの上部を単に押圧するのみでよく、これにより、グースネックが開放され、グースネックをハウジングから延長することができる。グースネックの上部のＬＥＤ２３が給電境界値（threshold amount）である約３／４インチ（約１９ｍｍ）以上にハウジングの外部に延長されると、仮にスイッチ２５が閉じていれば、ＬＥＤは点灯する。従って、ＬＥＤが給電境界距離よりも短く延長される場合、仮にスイッチが閉じていても、ＬＥＤは点灯しないので、スイッチ２５を閉位置で保持しつつ、グースネックの延長及び収納により、ＬＥＤの点灯及び消灯を行うことができる。このようなブックライトにより、仮に使用者がスイッチ２５を消灯位置又は開位置に移動しなくても、バッテリー電力を節約することが可能になる。
【００３０】
また、ブックライトは、収納又は突出状態のクリップを備える小型の懐中電灯としても用いることができる。クリップを突出させることで、使用者は、自分のベルト又は他の衣料品（例えば、シャツのポケット）にブックライトを取り付けることができ、グースネックを動かしてＬＥＤから所望の位置へ光を指向させることができる。また、グースネックの上部は、約３６０°の作動範囲で回動することができ、これにより、ＬＥＤは、小型の懐中電灯として用いるために実質的に任意の位置に指向することができる。
【００３１】
ハウジングの全体寸法は、高さが約７インチ（約１７８ｍｍ）、幅が約１／４インチ（約６ｍｍ）、厚さが約１／２（約１３ｍｍ）インチであり、非常にコンパクトな照明装置を提供し、更に、読書又は他の利用に十分な光源を提供する。露出するグースネックの長さは、最大限に延長されると、約５  １／２インチ（約１４０ｍｍ）になる。
【００３２】
ブックライトを、保管又は運搬の際にブックライト及びその構成部品を保護するためにケースと共に提供してもよい。更に、ブックライトを、光源を提供するためにグースネックを延長した状態でケースに入れたままとし、使用者はケースの外側を保持することとして、使用中のブックライトも保護するようにしてもよい。
【００３３】
尚、本明細書に記載された本発明の実施形態に対して、その精神から逸脱することなく、様々な変更がなされ得る。上述の記載は、本発明を制限するものとして解釈されるべきではなく、単に本発明の好ましい実施形態の例示として解釈されるべきである。当業者であれば、添付の特許請求の範囲に記載された本発明の範囲及び精神の範囲内で、他の変更を想定可能であることは明らかである。
【図１】
2009537949.tif 000003
【図２】
2009537949.tif 000004
【図３】
2009537949.tif 000005
【図４】
2009537949.tif 000006
【国際調査報告】
2009537949.tif 000007